(57)【特許請求の範囲】
【請求項１】
内鍋と、内鍋加熱手段と、マイコンによる炊飯加熱制御手段とを備え、炊飯加熱制御手段は、白米モードの他に、吸水工程終了後沸騰状態まで連続的に加熱昇温させて炊き上げる炊き上げ用昇温工程が、吸水工程終了後５０℃〜７０℃まで加熱昇温させる第１の昇温工程と７０℃から沸騰状態まで加熱昇温させる第２の昇温工程との２つの昇温工程よりなる玄米モードを設けるとともに、該玄米モードを、通常玄米モードとガンマアミノ酪酸の発生量を増やすガンマアミノ酪酸増量モードとの２つの炊飯モードに分け、ガンマアミノ酪酸増量モードでは、通常玄米モードに比べて、吸水工程における吸水加熱時間および同吸水工程終了後沸騰状態まで炊き上げる昇温工程における昇温加熱時間をそれぞれ長く設定し、当該昇温工程の上記第１の昇温工程における５０℃から７０℃までの加熱温度域での通過時間を、通常玄米モードよりも長くしたことを特徴とする電気炊飯器。
【発明の詳細な説明】
【技術分野】
【０００１】
本願発明は、玄米炊飯機能を備えた電気炊飯器に関するものである。
【背景技術】
【０００２】
発芽玄米にはガンマアミノ酪酸（ＧＡＢＡ）という栄養素が多く、食べると体に良いと言われるが、ふつうの米（白米など）に比べると価格が高い。
【０００３】
一方、玄米や分づき米等の胚芽を有する米を２４時間くらい吸水させると、発芽して発芽玄米と同じガンマアミノ酪酸（ＧＡＢＡ）を持つようになる。
【０００４】
ガンマアミノ酪酸（ＧＡＢＡ）は、脳の血流や高血圧を改善する効果や腎機能や肝機能を改善する効果があると言われており、さらには、中性脂肪の低減などの効果も期待されている。
【０００５】
近年の健康志向の高まりともに、一般の家庭でも健康増進に優れた発芽米が食べられるようになった。
【０００６】
そこで、従来から玄米（分づき米等を含む）を加熱することにより発芽させ、発芽米を簡単に作ることができる電気発芽器が実用化されている。
【０００７】
しかし、従来の電気発芽器の場合、発芽させた発芽米を炊飯器に移し代えて炊飯する必要があり、ユーザーにとって非常に煩わしいという問題があった。
【０００８】
そこで、そのような問題を解決するために、例えば発芽コースとして、通常炊飯時の吸水工程を利用して、昇温工程前の段階で玄米（分づき米等を含む）を所定の時間、所定の温度で加熱して発芽させる発芽工程を設けたものが提案されている（特許文献１参照）。
【０００９】
また、吸水工程とは別の吸水工程前の段階で玄米（分づき米等を含む）を所定の時間、所定の温度で加熱して発芽させる活性化工程を設けたものも提案されている（特許文献２参照）。
【００１０】
これらの構成では、玄米や分づき米等の胚芽部を発芽させて、そのまま引き続き通常の状態で炊飯することができ、容易に発芽米を食することができるので便利である。
【００１１】
【特許文献１】特開２００１−２４５７８６号公報（明細書頁１−３頁、図１−４）
【特許文献２】特開２００３−３３９５３３号公報（明細書頁１−３頁、図１−４）
【発明の開示】
【発明が解決しようとする課題】
【００１２】
しかし、上記２つの従来例の場合、その何れにあっても、実質的に吸水工程を長くするだけの制御であり、実験して見ると、必ずしも十分なガンマアミノ酪酸（ＧＡＢＡ）の増量効果が見られない。
【００１３】
また、後者の従来例（特許文献２）のように、吸水工程前の段階で、吸水工程とは別に、３時間〜５時間の活性化工程を設ける構成の場合、それに続く吸水工程と合わせると、非常に長い前処理工程を必要とし、１日３食の食事の時間間隔を考えると、各回共に炊き立ての御飯を提供することは困難である。
【００１４】
また。本願発明者の知見によると、吸水工程に続く昇温工程で、御飯の状態を考慮しながらできるだけゆっくりと時間を掛けて昇温させるように電力を決めて、炊き上げるようにすると、酵素の働きが活発になり、より有効にガンマアミノ酪酸（ＧＡＢＡ）の発生量が増えることが分かった。
【００１５】
本願発明は、以上のような事情と実験による知見に基き、玄米の炊飯制御時において、ガンマアミノ酪酸増量モードでは、通常玄米モードに比べて、吸水工程における吸水加熱時間を長くするが、一方吸水工程終了後の炊き上げ用昇温工程の初期における昇温加熱時間をも長くすることにより、吸水時間を必要以上に長くすることなく、ガンマアミノ酪酸（ＧＡＢＡ）の発生量を有効に向上させることができるようにした電気炊飯器を提供することを目的とするものである。
【課題を解決するための手段】
【００１６】
本願の発明は、以上のような課題を解決することを目的としてなされたものであり、次のような課題解決手段を備えて構成されている。
【００１７】
すなわち、本願発明では、内鍋と、内鍋加熱手段と、マイコンによる炊飯加熱制御手段とを備え、炊飯加熱制御手段は、白米モードの他に、吸水工程終了後沸騰状態まで連続的に加熱昇温させて炊き上げる炊き上げ用昇温工程が、吸水工程終了後５０℃〜７０℃まで加熱昇温させる第１の昇温工程と７０℃から沸騰状態まで加熱昇温させる第２の昇温工程との２つの昇温工程よりなる玄米モードを設けるとともに、該玄米モードを、通常玄米モードとガンマアミノ酪酸の発生量を増やすガンマアミノ酪酸増量モードとの２つの炊飯モードに分け、ガンマアミノ酪酸増量モードでは、通常玄米モードに比べて、吸水工程における吸水加熱時間および同吸水工程終了後沸騰状態まで炊き上げる昇温工程における昇温加熱時間をそれぞれ長く設定し、当該昇温工程の上記第１の昇温工程における５０℃から７０℃までの加熱温度域での通過時間を、通常玄米モードよりも長くしたことを特徴としている。
【００１８】
玄米（分づき米や胚芽米等の胚芽を有する米を含む）に含まれるガンマアミノ酪酸（ＧＡＢＡ）は、４０〜５０℃の温度の水に浸漬することによって増加する。一般的に１０時間以上浸漬し玄米がわずかに発芽するくらいの状態にして、発芽玄米として食されているが、米を例えば１０時間以上も４０℃〜５０℃の水に浸漬すると腐敗し始め、浸漬液が臭うようになるため、きれいな水で洗ってから炊飯する必要がある。
【００１９】
しかし、この時、ガンマアミノ酪酸（ＧＡＢＡ）は、すでに浸漬水の方に溶け出しており、せっかく増えたガンマアミノ酪酸（ＧＡＢＡ）を捨ててしまうことになる。
【００２０】
そこで、そのような１０時間以上浸漬した時に比べるとガンマアミノ酪酸（ＧＡＢＡ）の増加量は少なめであるが、浸漬水が腐敗を生じるまでの間で、できるだけ長い時間浸漬させて、そのまま炊飯するのが良い。
【００２１】
一方、上記ガンマアミノ酪酸（ＧＡＢＡ）は酵素の働きにより生成されるが、該酵素は５０℃〜７０℃の温度域で働きが活発になる。したがって、そのように酵素の働きが活発になる５０℃〜７０℃あたりでも、ガンマアミノ酪酸（ＧＡＢＡ）は有効に生成する。
【００２２】
そこで、玄米モードの内のガンマアミノ酪酸増量モードでは、上記のように、先ず４０〜５０℃の吸水工程における吸水時間を通常玄米モードに比べて十分に長くして、十分な量のガンマアミノ酪酸（ＧＡＢＡ）を発生させる。
【００２３】
例えば一例として吸水時間を３時間３０分程度とし、その間約５０℃程度で温度調節をおこなう。
【００２４】
一方、同吸水工程終了後５０℃〜７０℃まで加熱昇温させる炊き上げ工程初期の５０℃〜７０℃の第１の昇温工程では、昇温加熱時の火力を弱め、５０℃から７０℃に到る温度域での昇温時間を通常玄米モードよりも長い昇温時間に延長する。
【００２５】
つまり、ガンマアミノ酪酸（ＧＡＢＡ）は、上述のように酵素の働きにより生成されるので、吸水工程の吸水温度よりも高く、酵素の働きが活発になる吸水工程終了後の炊き上げ用第１の昇温工程（昇温工程初期）の５０℃〜７０℃の温度域をできるだけゆっくりと通過させて、ガンマアミノ酪酸（ＧＡＢＡ）を効果的に増加させる。
【００２６】
これらの結果、吸水工程におけるＧＡＢＡ増量効果と吸水工程終了後、炊き上げ用昇温工程初期の５０℃〜７０℃の温度域におけるＧＡＢＡ増量効果とが有効に組み合わされ、通常では困難な御飯の味の良さとＧＡＢＡ増量性能との両立を図りながら、しかも従来のものよりも短かい時間で有効にＧＡＢＡ増量性能を向上させることができる。
【発明の効果】
【００２７】
以上の結果、本願発明の電気炊飯器によると、従来のような長時間の吸水後に米を洗って炊飯器にセットし直す手間が省け、しかもガンマアミノ酪酸（ＧＡＢＡ）が多量に含まれた美味しく健康に良い玄米のご飯をユーザーに提供することができるようになる。
【００２８】
また、トータルの炊飯時間を可及的に短かくすることができ、１日の食事時間間隔にも適切に対応可能となる。
【発明を実施するための最良の形態】
【００２９】
図１〜図１１は、本願発明の最良の実施の形態に係る電気炊飯器の本体および要部の構成と作用をそれぞれ示している。
【００３０】
（炊飯器本体部分の構成・・・図１，図２参照）
該電気炊飯器の炊飯器本体は、例えば図１に示すように、内部に誘起されるうず電流によって自己発熱が可能な例えばステンレス鋼板等の磁性金属板よりなる内鍋(飯器ないし保温容器)３と、該内鍋３を任意にセットし得るように形成された合成樹脂製の有底筒状の内ケース（保護枠）４と、該内ケース４を保持する外部筺体である有底筒状の外ケース１と、該外ケース１と上記内ケース４とを一体化して形成された炊飯器器体の上部に開閉可能に設けられた蓋ユニット２とから構成されている。
【００３１】
上記内ケース４の底壁部４ａの下方側にはコイル台７が設けられ、その上部には、フェライトコア７ａを介し、上記内鍋３の底壁部３ａの中央部と側方部の各位置に対応して各々リッツ線が同心状に巻成された２組の底面ワークコイルＣ１，Ｃ２、また内鍋３の側壁部３ｂに対応して側面ワークコイルＣ３が、それぞれ内鍋３の底壁部３ａの中央部から側壁部３ｂに到る略全体を包み込むように設けられており、それらにより通電時には内鍋３の略全体にうず電流を誘起して、その全体を略均一に加熱するようになっている。
【００３２】
また、上記内ケース４の側壁部４ｂには、保温時において加熱手段として機能する保温ヒータＨ１が設けられており、保温時において上記内鍋３の全体を有効かつ均一に加熱するようになっている。
【００３３】
また、上記内ケース４の前方側には、ワークコイルＣ１，Ｃ２，Ｃ３、保温ヒータＨ１、肩ヒータＨ２等を駆動制御する上記ＩＧＢＴやヒータ駆動回路、電源電圧整流用のダイオードブリッジ、平滑回路などを備えた制御回路基板９１が基板支持ブラケット９を介して上下方向に延びて設けられている。
【００３４】
この制御回路基板９１の下部には、例えば上記ＩＧＢＴに接して放熱用のヒートシンク１９が設けられ、その下部側には冷却ファン１７が設けられている。冷却ファン１７は、上記外ケース１の底部に形成された空気吸込グリル４９から吸入した空気を上記ヒートシンク１９および制御回路基板９１を介して内ケース４の外周囲に流し、必要な発熱部の冷却を行う。
【００３５】
また上記外ケース１は、上下方向に筒状の金属製のカバー部材１ａと、該カバー部材１ａの上端部に結合された合成樹脂製の肩部材１１と、上記カバー部材１ａの下端部に一体化された合成樹脂製の底部材１ｂとからなり、かつ上記内ケース４の底壁部４ａとの間に所定の広さの断熱および通風空間部を形成した全体として有底の筒状体に構成されている。そして、該外ケース１の前面部上方には、例えば図２に示すような略半月形状の操作パネル部２０が設けられている。
【００３６】
該操作パネル部２０の中央には、例えば図２に示すように、十分に広く大きな表示面積をもつ液晶表示部２１（後述するように、この液晶表示部２１は、ドットマトリクス（フルドットマトリクス）表示方式の液晶パネル５３により構成される）が設けられ、その周囲には炊飯スイッチ２２ａ、タイマー予約スイッチ２２ｂ、取消スイッチ２２ｃ、保温スイッチ２２ｄ、コース選択スイッチ２２ｅ、メニュー選択スイッチ２２ｆ、炊き分けスイッチ２２ｇ、時スイッチ２２ｈ、分スイッチ２２ｉ等の各種操作スイッチの操作面（タッチ面）が配設されている。
【００３７】
そして、該操作パネル２０の内側下方（裏面側下方）には、基板取付ブラケット５を介してマイコン基板５１が前後方向に所定の角度傾斜して設けられている。
【００３８】
マイコン基板取付ブラケット５は、その下部５ａ側を本体側肩部材１１から下方に伸びた前面側枠部材１１ａの下部に対して固定することにより支持されており、後方側に傾斜した上部５ｂ側の前面にマイコン基板５１を取り付けている。
【００３９】
マイコン基板（マスター基板）５１上には、電気回路部品として後述するマイコン制御ユニット（炊飯・パン・調理・保温等の各加熱制御機能と液晶パネル５３の表示制御機能とを備えたマスターマイコン）３２およびＥＥＰＲＯＭ、バックアップ電源などが設けられており、液晶パネル取付部材としての合成樹脂製の液晶ホルダー５５を介してドットマトリクス表示方式の液晶パネル５３が設置されるようになっている。
【００４０】
この液晶ホルダー５５は、先ず上面側には凹溝面状の液晶パネル嵌合部５５ａが、また下面側には表示制御基板取付部５５ｂが、さらに外周部には図示しない弾性支持片を介して上記各入力スイッチ２２ａ〜２２ｉ（全ては図示せず）の操作ロッド（全ては図示せず）および取付脚２５，２５・・・が、それぞれ設けられている。
【００４１】
そして、同液晶ホルダー５５には、上面側液晶パネル嵌合部５５ａに、ドットマトリクス方式の液晶パネル５３が嵌合設置されるようになっている。また、下面側表示制御基板取付部５５ｂには、上記ドットマトリクス表示方式の液晶パネル５３に対応した表示制御基板５２が取り付けられる。この表示制御基板５２には、フルドット液晶表示制御専用のマイコンと液晶駆動回路が設けられている。
【００４２】
そして、同液晶ホルダー５５は、そのように液晶パネル５３を嵌合した状態で、上記取付脚２５，２５・・・を上記マイコン基板５１側の取付穴に挿入して係合することにより、上記マイコン基板５１上に所定の間隔を保って取り付けられている。
【００４３】
マイコン基板５１上のマイコン制御ユニット３２には、上記各入力スイッチ２２ａ〜２２ｉを介して入力されたユーザーの指示内容を判断する所望の認識手段が設けられており、該認識手段で認識されたユーザーの指示内容に応じた液晶パネル５３の表示画面上への必要な表示、また同指示内容に応じた所望の炊飯／パン／調理又は保温の各機能、炊飯／パン／調理又は保温の各コース、それら各コースに対応して選択可能な各種のメニュー、それら各種のメニューに応じた炊き分けに対応した所定の加熱パターンを設定して、その炊飯等加熱制御手段又は保温加熱制御手段を適切に作動させて所望の炊飯／パン／調理制御又は保温制御を行うようになっている。
【００４４】
したがって、ユーザーは、上記各入力スイッチ２２ａ〜２２ｉを使って炊飯／パン／調理又は保温、タイマー予約モード、予約モードでのコース、メニュー、炊き分け、時刻設定、白米又は玄米、早炊き、炊込み、おこわ等のメニュー、極うま、甘み、ふつう、かため、やわらかめ、おこげ等の炊き分けその他の各種の炊飯／パン／調理又は保温機能の選択設定内容を入力すれば、それに対応した機能内容が当該マイコン制御ユニット３２内の認識手段を介して炊飯／パン／調理および保温の各加熱パターン設定部に自動的に設定入力されて、対応する炊飯／パン／調理又は保温加熱制御が所望の加熱制御パターンで適切になされるようになる。
【００４５】
一方、符号２は蓋ユニットであり、該蓋ユニット２は、その外周面を構成する合成樹脂製の外カバー１２と、内周面を構成する真空二重壁構造の内カバー１３と、該内カバー１３の下側に着脱可能に設けられた金属製の放熱板１６とから構成されている。なお、符号１４は、内鍋３の開口縁部３ｃに対応するようにして上記放熱板１６の外周縁部内側に設けられたシール用のラバー製パッキン、２ａは蒸気排出口の蒸気キャップである。
【００４６】
この蓋ユニット２は、上記外ケース１後部の肩部材１１部分に対してヒンジ機構を介して上下方向に回動自在に取付けられており、その開放端側には、該蓋ユニット２の所定位置に係合して該蓋ユニット２の上下方向への開閉を行うロック／アンロック機構１８が設けられている。
【００４７】
（液晶表示部２１の構成・・・図２参照）
本実施の形態の場合、図２に示す液晶表示部２１は、前述のように基本的にドットマトリクス表示方式の液晶パネル５３を採用して構成されるようになっており、同液晶パネル５３の通常画面（図４の左端の図を参照）では、選択可能なコースとして、標準（炊飯）、健康（炊飯）、パン、調理の各コース、これら各コースの中での各種のメニュー項目、それら各種のメニュー項目の中での、さらに各種の炊き分け項目が順次階層的に表示されるようになっている。
【００４８】
コース、メニュー、炊き分けの各表示領域は、上方から下方に３段に区分して設置され、各項目は各々左右方向に並べて表示されるようになっている。
【００４９】
そして、同コース、メニュー、炊き分け３段の各表示部の右側操作パネル部には、それらコース、メニュー、炊き分けの各々に対応してコース選択スイッチ２２ｅ、メニュースイッチ２２ｆ、炊き分けスイッチ２２ｇが設けられている。
【００５０】
（１）  コースの選択
以上の構成において、上記コース選択スイッチ２２ｅがＯＮ操作されると、前述の通常画面（標準コース／白米メニュー／極うまで設定）から、健康コース／玄米／ＧＡＢＡ増量、パンコース／発酵メニュー／２０分、調理メニュー／高温メニュー／３０分等に順次画面が切りかわり、サーキュレーション状態で、ＯＮする度に、それらの画面表示が繰り返される。
【００５１】
（２）  標準コース、白米メニュー、極うまでの炊飯
これは、家庭における最も一般的な炊飯パターンであり、例えば図８に示すように、図８の左端の通常画面から、待機画面（白米、極うま／炊飯で開始／１８：３０）に移り、同待機画面状態で炊飯スイッチ２２ａをＯＮ操作すれば炊飯に移ることをユーザーに対してガイドする。
【００５２】
そして、同待機画面状態で、炊飯スイッチ２２ａがＯＮ操作されると、炊飯動作を開始し、「白米・極うま」で炊飯中であること、現在時刻は１８：３１、炊き上りまで残り約９２分であることをそれぞれ表示する。
【００５３】
そして、さらに炊飯が完了して保温動作に移行すると、炊きたて保温６時間で保温中、保温経過時間が３時間、現在時刻が２３：０３分であることを表示する。
【００５４】
（３）  標準コース、白米メニュー、ふつうのタイマー予約モードでの炊飯
この場合は、例えば図８の通常画面（標準コース）から白米メニュー・ふつうを選択した後に、予約時間設定画面を出して、所望の炊き上り予約時間を設定する。
【００５５】
そして、その後、設定された予約時間に対応した炊飯開始時刻がくるまで、同設定予約時間、現在予約中の表示を行ないながら、炊飯開始時刻がくると炊飯を開始して、炊飯動作中であることを表示する。
【００５６】
そして、やがて炊飯が完了して保温動作に移行すると、保温中、保温経過時間の表示を行ないながら保温を実行する。
【００５７】
（４）  健康コース、玄米メニュー、ふつうでの炊飯
これは、最近増えてきている炊飯パターンであり、例えば図４の左端に示す通常画面から、待機画面（玄米、ふつう／炊飯で開始）に移り、同待機画面状態で炊飯スイッチ２２ａをＯＮ操作すれば炊飯に移ることをユーザーに対してガイドする。
【００５８】
そして、同待機画面状態で、炊飯スイッチ２２ａがＯＮ操作されると、炊飯動作を開始し、「玄米・ふつう」で炊飯中であること、現在時刻は例えば１８：３０であることをそれぞれ表示する。
【００５９】
そして、さらに炊飯が完了して保温動作に移行すると、例えば炊きたて保温６時間で保温中、保温経過時間が３時間、現在時刻が２３：００分であることを表示する。
【００６０】
（５）  健康コース、玄米メニュー、ＧＡＢＡ増量での炊飯
これも、最近ニーズが見られる炊飯パターンであり、例えば図４に示すように、図４の左端の通常画面から、セット画面（玄米、ＧＡＢＡ増量）で設定し、その後、待機画面（玄米、ＧＡＢＡ増量／炊飯で開始／１６：００）に移り、同待機画面状態で炊飯スイッチ２２ａをＯＮ操作すれば炊飯に移ることをユーザーに対してガイドする。
【００６１】
そして、同待機画面状態で、炊飯スイッチ２２ａがＯＮ操作されると、炊飯動作を開始し、「玄米・ＧＡＢＡ増量」モードで炊飯中であること、現在時刻は例えば１８：１０であることをそれぞれ表示する。
【００６２】
そして、さらに炊飯が完了して保温動作に移行すると、例えば炊きたて保温６時間で保温中、保温経過時間が３時間、現在時刻が２３：０３分であることを表示する（図示省略）。
【００６３】
（炊飯器本体側制御回路部分の構成・・・図３参照）
次に図３は、上述のように構成された炊飯器本体側の炊飯／パン／調理および保温加熱制御、液晶パネル５３の表示制御、その他の制御を行うマイコン制御ユニット３２を中心とする制御回路部分の構成を示す。
【００６４】
図３中、符号３２が上述のような炊飯加熱制御手段および保温加熱制御手段、液晶パネル表示制御手段に加え、内鍋温度判定手段、内鍋検知手段、ブザー報知手段等を備えた炊飯・パン・調理・保温・表示等制御用の基本となるマイコン制御ユニット（ＣＰＵ）であり、該マイコン制御ユニット３２はマイクロコンピュータを中心として構成され、例えば内鍋３の温度検知回路部、ワークコイル駆動制御回路部、内鍋３の検知回路部、発振回路部、リセット回路部、保温ヒータおよび肩ヒータ等駆動制御回路部、液晶表示制御回路部、ブザー報知部、電源回路部等を各々有して構成されている。
【００６５】
そして、先ず上記内鍋３の底壁部３ａ側センタセンサ部の内鍋温度検知センサＳ、内鍋検知スイッチＬＳに対応して設けられた温度検知回路４３および内鍋検知回路４４には、例えば上記内鍋温度検知センサＳによる内鍋３の底壁部３ａの温度検知信号、内鍋検知スイッチＬＳによる鍋検知信号がそれぞれ入力されるようになっている。
【００６６】
また、上記ワークコイル駆動制御回路部は、例えばパルス幅変調回路４１、同期トリガー回路４０、ＩＧＢＴ駆動回路４２、ＩＧＢＴ３７、共振コンデンサ３８によって形成されている。そして、上記マイコン制御ユニット３２のワークコイル駆動制御回路部により、上記パルス幅変調回路４１を制御することにより、例えば炊飯工程に応じて上記ワークコイルＣ（Ｃ１，Ｃ２，Ｃ３）の出力値および同出力値でのＯＮデューティー比（例えばｎ秒／１６秒）をそれぞれ適切に変えることによって、炊飯工程等の各工程における内鍋３の加熱温度と加熱パターンを炊飯量、調理量等を考慮して適切に可変コントロールし、均一な吸水作用と加熱ムラのないご飯の炊き上げ、良好な調理等を実現するための適切な出力制御が行われるようになっている。
【００６７】
また同マイコン制御ユニット３２の保温ヒータ駆動制御回路部および肩ヒータ駆動制御回路部により、それぞれ保温ヒータ駆動回路３３および肩ヒータ駆動回路３４を制御することにより、例えば保温又は炊飯工程に応じて上記保温ヒータＨ１、肩ヒータＨ２の出力値および同出力値でのＯＮデューティー比（例えばｎ秒／１６秒）をそれぞれ適切に変えることによって、保温又は炊飯工程の各工程における内鍋３の加熱温度と加熱パターンとを実際の炊飯量を考慮して適切に可変コントロールするための適切な出力制御が行われるようになっている。
【００６８】
また、符号２２ａ〜２２ｉは上述した各種入力スイッチ部であり、同スイッチの必要なものが適切に操作されると、上記マイコン制御ユニット３２側の認識手段によってユーザーの指示内容が認識され、その認識内容に応じて所望の炊飯、パン、調理又は保温の各加熱パターンを設定して上記炊飯加熱制御手段又は保温加熱制御手段を適切に作動させて所望の炊飯／パン／調理又は保温を行うようになっている。
【００６９】
したがって、ユーザーは、同入力スイッチ２２ａ〜２２ｉを使用して炊飯／パン／調理又は保温、タイマー予約、予約時刻設定、白米又は玄米、早炊き、おかゆ、かため又はやわらかめ、炊き込み等の炊き分け等の各種の炊飯／パン／調理又は保温機能の選択設定内容を入力すれば、それに対応した機能内容が当該マイコン制御ユニット３２の上述した認識手段を介して炊飯／パン／調理又は保温の各加熱パターン設定部に自動的に設定入力されて、対応する炊飯、パン、調理又は保温加熱制御が適切になされる。
【００７０】
なお、図３中の符号３９は、上記ＩＧＢＴ３７のフライホイールダイオード、３５は、家庭用ＡＣ電源３０との間に挿入された上記ワークコイル駆動用のダイオードブリッジを内蔵した電源側整流回路、３６はその平滑回路である。
【００７１】
さらに、符号１７は炊飯完了を知らせるブザー報知部、２１は液晶表示部である。この実施の形態の場合、上記液晶表示部２１には、上記入力スイッチ２２ａ〜２２ｉのＯＮ操作に対応して所望のコース、メニュー、炊き分け項目や時刻その他の必要事項が表示され、以後設定内容に応じた必要な表示がなされて行くようになっている。
【００７２】
（健康コース・玄米メニュー炊飯時のＧＡＢＡ増量制御・・・図５、図６参照）
先ず、図５のフローチャートおよび図６のタイムチャートは、それぞれ本最良の実施の形態の基本となる玄米モード（分づき米や胚芽米等の炊飯も含む）での炊飯時におけるＧＡＢＡ増量制御の内容を示すものである。また、図７のタイムチャートは、同制御と対比して示す通常玄米炊飯時の制御内容を示すものである。
【００７３】
すなわち、このＧＡＢＡ増量モードの玄米炊飯制御では、図５のフローチャートに示すように、先ずステップＳ１で健康コースが選択され、玄米メニュー、ＧＡＢＡ増量がセットされると、図４の選択設定画面になり、その後所定時間後に図４の待機画面になる。したがって、同待機画面状態において、ステップＳ２で、炊飯器本体側の炊飯スイッチ２２ａが押されると、ステップＳ３で上述のワークコイルＣをＯＮにして炊飯を開始し、図４の炊飯中の表示を行って、先ず吸水工程を実行する。
【００７４】
この吸水工程における吸水時間は、上記「玄米／ＧＡＢＡ増量」メニューに対応して通常の「玄米」メニューの吸水時間（１５分）よりも遥かに長く設定された吸水時間３時間３０分内行われる（この時の吸水温度は５０℃に調整する：図６、図７のタイムチャートを参照）。
【００７５】
この吸水工程に入ると、先ずステップＳ４で、吸水開始後所定の時間ｔ分が経過した時点であるか否かを判定する。この所定時間ｔ分は、吸水加熱が開始されたことにより、内鍋３内の水の温度が初期水温（図６の場合２０℃）よりも所定温度以上に上昇し、合数判定を行うに必要な温度上昇勾配が実現される時間に設定されている。
【００７６】
したがって、上記ステップＳ４での判定の結果、ＹＥＳの時（ｔ分経過時）はステップＳ５に進んで「合数判定」制御を実行し、その時の炊飯量を判定する。そして、その判定結果、例えば（大量），（中量），（小量）に対応して、その量の炊飯に必要な以後の電力量（強），（中），（弱）を予じめ正確に設定して、ステップＳ７，Ｓ９の昇温工程（昇温工程１／昇温工程２）、ステップＳ１１の沸とう維持工程を実行する。
【００７７】
他方、ステップＳ４の判定の結果、ＮＯの場合（ｔ分未経過又はｔ分を経過した後）には、ステップＳ６に進んで上記設定された吸水時間２１０分（３時間３０分）が経過したか否かを判定するが、上記ｔ分が経過していない場合には当然２１０分も経過していないことから、そのままステップＳ３の吸水制御を実行する（初期水温２０℃を５０℃まで上げる）。
【００７８】
そして、やがて上記ｔ分が経過してステップＳ４でＹＥＳとなり、ステップＳ５の合数判定が終了すると、繰り返し上記ステップＳ６の吸水時間２１０分の経過を判定しながら、ＹＥＳとなるまで上記吸水温度５０℃での吸水加熱を継続し、図６のタイムチャート中の（ａ）に示すように、じっくりと時間を掛けて玄米の胚芽部分からのＧＡＢＡの排出を促進する（緩やかに増加させる）。
【００７９】
一方、上記長い吸水時間２１０分が経過してステップＳ６でＹＥＳと判定されると（吸水工程が終了すると）、続いてステップＳ７，Ｓ９に進んで第１，第２の２段階の昇温工程を実行し、それによって上記吸水工程終了後の玄米の胚芽部からのＧＡＢＡの発生を、さらに促進させる。
【００８０】
すなわち、上記吸水工程が終了すると、先ずステップＳ７に進み、第１の昇温加熱（昇温工程１）を実行する。
【００８１】
この第１の昇温加熱は、酵素の働きが活発になる５０℃〜７０℃の水温域（昇温工程の初期水温域）を可能な限り長い時間６分（通常の玄米炊飯モードでは、４分程度・・・図７参照）を掛けて通過させるためで、図７に示す通常の玄米炊飯時の１行程での昇温加熱時のワークコイルＣのデューティー比１２／１６よりも２／１０小さい１０／１６のデューティー比でワークコイルＣの加熱制御を行ない、酵素の働きが活発になる時間を可及的に長く維持することにより、さらに効果的なＧＡＢＡの発生を促す（図６のタイムチャート中の（ａ）の上昇カーブを参照）。
【００８２】
そして、その後、同第１の昇温加熱時間６分の経過を判定し、ＹＥＳになると、次にステップＳ９に進んで、図７の通常の玄米炊飯モードでの昇温加熱と同様の第２の昇温加熱（昇温工程２：７１℃から１００℃までの温度域）を９分間実行し、沸騰状態（１００℃）まで炊き上げる。
【００８３】
この結果、ＧＡＢＡの発生量が大きく増加する（図６中の（ａ）のＧＡＢＡ増量特性を参照）。
【００８４】
続いて、ステップＳ１０に進み、上記第２の昇温加熱時間９分の経過を判定し、ＹＥＳになると、ステップＳ１１の沸騰維持工程に進む。
【００８５】
沸騰維持工程では、約３０分の間、内鍋３内の水を十分に沸騰状態（１００℃）に維持する。
【００８６】
その後、ステップＳ１２の炊き上げ検知判定（１３０℃以上？）で、内鍋３の温度が炊き上げ検知温度１３０℃以上であるか、それよりも低いかを判定し、ＹＥＳの未だ１３０℃よりも低い場合には上記ステップＳ１１の沸騰維持工程を継続するが、ＮＯの時（１３０℃以上に高い時）は炊き上げ完了と判断して、ステップＳ１３のむらし工程に進んで、所定のむらし温度でのむらし工程を例えば１４分間実行する。
【００８７】
そして、同むらし時間１４分間が過ぎて、ステップＳ１４でＹＥＳになると、それにより炊飯を完了し、以後ステップＳ１５の保温工程に移行する。
【００８８】
そして、同保温工程では、ユーザーにより設定された所定の保温時間内、所定の保温温度で、保温制御が実行される。
【００８９】
以上のように、この発明の最良の実施の形態では、内鍋と、内鍋加熱手段と、マイコンによる炊飯加熱制御手段とを備え、炊飯加熱制御手段は、白米モードの他に玄米の炊飯に適した玄米モードを有してなる電気炊飯器において、上記玄米モードに、通常玄米モードとガンマアミノ酪酸の発生量を増やすガンマアミノ酪酸増量モードとを設け、ガンマアミノ酪酸増量モードは、通常玄米モードに比べて、吸水加熱時間が長く、かつ昇温工程における昇温加熱時間も長く設定されていることを特徴としている。
【００９０】
玄米（分づき米等を含む）に含まれるガンマアミノ酪酸（ＧＡＢＡ）は、４０〜５０℃の温度の水に浸漬することによって増加する。一般的に１０時間以上浸漬し玄米がわずかに発芽するくらいの状態にして、発芽玄米として食されているが、米を例えば１０時間以上も４０℃〜５０℃の水に浸漬すると腐敗し始め、浸漬水が臭うようになるため、きれいな水で洗ってから炊飯する必要がある。
【００９１】
しかし、この時、ガンマアミノ酪酸（ＧＡＢＡ）は、すでに浸漬水の方に溶け出しており、せっかく増えたガンマアミノ酪酸（ＧＡＢＡ）を捨ててしまうことになる。
【００９２】
したがって、そのような１０時間以上浸漬した時に比べるとガンマアミノ酪酸（ＧＡＢＡ）の増加量は少なめであるが、浸漬水が腐敗を生じるまでの間で、できるだけ長い時間浸漬させて、そのまま炊飯するのが良い。
【００９３】
そこで、ガンマアミノ酪酸増量モードでは、上記のように、先ず吸水時間を通常玄米モードに比べて十分に長くして、十分な量のガンマアミノ酪酸（ＧＡＢＡ）を発生させる。
【００９４】
例えば一例として吸水時間を３時間３０分程度とし、その間約５０℃程度で温度調節をおこなう。一方、それに続く昇温工程初期における昇温加熱時の火力を弱め、沸騰までのトータルの昇温時間を通常玄米モードの１０分よりも長い１５分程度に延長する。
【００９５】
また、その場合、上記ガンマアミノ酪酸（ＧＡＢＡ）は、前述のように酵素の働きにより生成される。したがって、該酵素の働きが活発になる吸水温度よりも高い昇温工程初期の温度域をできるだけゆっくりと通過させて、ガンマアミノ酪酸（ＧＡＢＡ）を効果的に増加させるのが好ましい。
【００９６】
すなわち、以上の構成の場合、ガンマアミノ酪酸増量モードでは、通常玄米モードに比べて、昇温工程初期における５０℃から７０℃の温度域の通過時間が長くなっている。
【００９７】
以上のように、ガンマアミノ酪酸（ＧＡＢＡ）は酵素の働きにより生成されるが、該酵素は５０℃〜７０℃の温度域で働きが活発になる。したがって、そのように酵素の働きが活発になる５０℃〜７０℃あたりで、ガンマアミノ酪酸（ＧＡＢＡ）はさらに有効に生成する。
【００９８】
そこで、上記のように吸水終了後の昇温工程初期の５０℃〜７０℃の温度域をできるだけゆっくりと時間をかけて通過させると、ガンマアミノ酪酸（ＧＡＢＡ）はより効果的に増加する。
【００９９】
さらに、同ガンマアミノ酪酸増量モードの昇温工程初期における５０℃から７０℃の温度域通過時間は、その時の炊飯量に関係なく例えば６分から８分が好ましい。
【０１００】
以上のように、昇温工程初期の５０℃〜７０℃までの昇温時間を長くすると、ガンマアミノ酪酸（ＧＡＢＡ）の増量に効果があるが、あまりにもゆっくり上昇させると炊飯状態が悪くなる（ご飯がべたつく）ので、約６分〜８分程度の時間をかけて適切に上昇させるように調節する。
【０１０１】
ところで、上記白米モード、通常玄米モード、ガンマアミノ酪酸増量モード相互の昇温加熱時間の関係は、白米モード＜通常玄米モード＜ガンマアミノ酪酸増量モードである。
【０１０２】
以上の各作用を奏するのに適切な昇温加熱時間の関係を、各炊飯モードで比較すると、白米モード＜通常玄米モード＜ガンマアミノ酪酸増量モードとなる。
【０１０３】
なお、これらの場合において、例えば昇温工程以後の炊飯中に通常玄米モードからＧＡＢＡ増量玄米モードに変えても、通常玄米モードを継続するが、吸水工程中において通常玄米モードからＧＡＢＡ増量玄米モードに変えられると、ＧＡＢＡ増量玄米モードに変更されるようになっている。
【０１０４】
（標準コース、白米メニュー、極うまでの炊飯制御・・・図９、図１０参照）
これは、家庭における最も一般的な炊飯パターンであり、液晶表示部２１では、前述の図８に示すように、通常画面状態から、待機画面（白米、極うま／炊飯で開始／１８：３０）に移り、同待機画面状態で炊飯スイッチ２２ａをＯＮ操作すれば炊飯に移ることをユーザーに対してガイドする。
【０１０５】
そして、同待機画面状態で、炊飯スイッチ２２ａがＯＮ操作されると、炊飯動作を開始し、「白米・極うま」で炊飯中であること、現在時刻は１８：３１、炊き上りまで残り約９２分であることをそれぞれ表示する。
【０１０６】
そして、さらに炊飯が完了して保温動作に移行すると、炊きたて保温６時間で保温中、保温経過時間が３時間、現在時刻が２３：０３分であることを表示するようになっている。
【０１０７】
先ず、図９のフローチャートおよび図１０のタイムチャートは、それぞれ本最良の実施の形態の白米メニュー／極うま炊飯時における炊飯制御の内容を示すものである。また、図１１のタイムチャートは、同制御と対比して示す白米メニュー／ふつう炊飯時の制御内容を示すものである。
【０１０８】
すなわち、この白米メニュー／極うまの炊飯制御では、図９のフローチャートに示すように、先ずステップＳ１で標準コースが選択され、白米メニュー、極うまがセットされると、所定時間後に図８の待機画面になる。したがって、同状態において、ステップＳ２で、炊飯器本体側の炊飯スイッチ２２ａが押されると、ステップＳ３で上述のワークコイルＣをＯＮにして炊飯を開始し、先ず吸水工程を実行する。
【０１０９】
この吸水工程における吸水時間は、上記「白米／極うま」メニューに対応して通常の「白米メニュー／ふつう」メニューの吸水時間（１９分）よりも相当に長く設定された吸水時間４０分内行われる（この時の吸水温度は５０℃に調整する：図１０、図１１のタイムチャートを参照）。
【０１１０】
この吸水工程に入ると、先ずステップＳ４で、吸水開始後所定の時間ｔ分が経過した時点であるか否かを判定する。この所定時間ｔ分は、吸水加熱が開始されたことにより、内鍋３内の水の温度が初期水温（図１０の場合２０℃）よりも所定温度以上に上昇し、合数判定を行うに必要な温度上昇勾配が実現される時間に設定されている。
【０１１１】
したがって、上記ステップＳ４での判定の結果、ＹＥＳの時（ｔ分経過時）はステップＳ５に進んで「合数判定」制御を実行し、その時の炊飯量を判定する。そして、その判定結果、例えば（大量），（中量），（小量）に対応して、その量の炊飯に必要な以後の電力量（強），（中），（弱）を予じめ正確に設定して、ステップＳ７の昇温工程、ステップＳ１１の沸とう維持工程を実行する。
【０１１２】
他方、ステップＳ４の判定の結果、ＮＯの場合（ｔ分未経過又はｔ分を経過した後）には、ステップＳ６に進んで上記設定された吸水時間４０分が経過したか否かを判定するが、上記ｔ分が経過していない場合には当然４０分も経過していないことから、そのままステップＳ３の吸水制御を実行する（初期水温２０℃を５０℃まで上げる）。
【０１１３】
そして、やがて上記ｔ分が経過してステップＳ４でＹＥＳとなり、ステップＳ５の合数判定が終了すると、繰り返し上記ステップＳ６の吸水時間４０分の経過を判定しながら、ＹＥＳとなるまで上記吸水温度５０℃での吸水加熱を継続し、じっくりと時間を掛けて白米の含水率を上げる。
【０１１４】
一方、上記長い吸水時間４０分が経過してステップＳ６でＹＥＳと判定されると（吸水工程が終了すると）、続いてステップＳ７に進んで昇温工程を実行し、それによって上記吸水工程終了後の含水率の高い白米を、図１１に示す白米／ふつう時の８分よりも長い１０分で緩やかに沸騰状態（１００℃）まで炊き上げる。
【０１１５】
そして、続くステップＳ８で、上記昇温加熱時間１０分が経過したか否かをを判定し、ＹＥＳになると、ステップＳ９に進んで、１分間の極うま加熱を実行する。
【０１１６】
この極うま加熱は、例えば図１０のタイムチャートに示すように、沸とう維持状態のワークコイル出力（７００Ｗ、デューティー比１０／１６）よりも大きいワークコイル出力（７００Ｗ、デューティー比１６／１６）での高加熱であり、これを沸とう維持工程の初期に１分間行うことにより、飯米中のオネバの発生を促し、その内鍋３中での循環を活発化させることにより、白米の旨みを増進させる。
【０１１７】
続いて、ステップＳ１０に進み、上記極うま加熱時間１分の経過を判定し、ＹＥＳになると、初めてステップＳ１１の沸騰維持工程に進む。
【０１１８】
沸騰維持工程では、図１１のふつう炊飯時（７００Ｗ、デューティー比６／１６）より高めのワークコイル出力（７００Ｗ、デューティー比１０／１６）で内鍋３内の水を十分に沸騰状態（１００℃）に維持することによって、上記極うま加熱によって十分に発生したオネバの活発な循環を図る。
【０１１９】
その後、ステップＳ１２の炊き上げ検知判定（１３０℃以上？）で、内鍋３の温度が炊き上げ検知温度１３０℃以上であるか、それよりも低いかを判定し、ＹＥＳの未だ１３０℃よりも低い場合には上記ステップＳ１１の沸騰維持工程を継続するが、ＮＯの時（１３０℃以上に高い時）は炊き上げ完了と判断して、ステップＳ１３のむらし工程に進んで、所定のむらし温度でのむらし工程を、図１１のふつう炊飯時（１２分）よりも長い例えば１５分間実行する。
【０１２０】
そして、同むらし時間１５分間が過ぎて、ステップＳ１４でＹＥＳになると、それにより炊飯を完了し、以後ステップＳ１５の保温工程に移行する。
【０１２１】
そして、同保温工程では、ユーザーにより設定された所定の保温時間内、所定の保温温度で、保温制御が実行される。
【図面の簡単な説明】
【０１２２】
【図１】本願発明の最良の実施の形態に係る電気炊飯器の炊飯器本体全体の構成を示す縦断面図である。
【図２】同電気炊飯器の液晶表示部を中心とする操作パネル部分の拡大正面図である。
【図３】同電気炊飯器の制御回路構成を示す図である。
【図４】健康コースで、玄米メニュー／ＧＡＢＡ増量炊き分けを選択した時の、通常画面から、コース／メニュー／炊き分けセット、待機状態、炊飯状態までの表示内容の変化を示す図である。
【図５】同健康コースでの玄米メニュー、ＧＡＢＡ増量制御の内容を示すフローチャートである。
【図６】同図５の制御の内容に対応するタイムチャートである。
【図７】健康コースでの玄米メニュー、ふつう炊飯制御の内容を示すタイムチャートである。
【図８】標準コースで、白米メニュー／極うま炊き分けを選択した時の通常画面から、待機状態、炊飯、炊飯終了後の保温中までの表示内容の変化を示す図である。
【図９】同標準コースで、白米メニュー、極うま炊き分けを選択した時の炊飯制御の内容を示すフローチャートである。
【図１０】同図９の制御の内容に対応するタイムチャートである。
【図１１】同標準コースで、白米メニュー、ふつう炊き分けを選択した時の炊飯制御の内容を示すタイムチャートである。
【符号の説明】
【０１２３】
Ｃ１，Ｃ２，Ｃ３、Ｃはワークコイル、Ｈ１は保温ヒータ、Ｈ２は肩ヒータ、１は外ケース、２は蓋ユニット、３は内鍋、２０は操作パネル、２１は液晶表示部、３２はマイコン制御ユニット、５１はマイコン基板、５２は表示制御基板、５３はドットマトリクス表示方式の液晶パネル、５５は液晶ホルダーである。
【図１】
0004466508.tif 000002
【図２】
0004466508.tif 000003
【図３】
0004466508.tif 000004
【図４】
0004466508.tif 000005
【図５】
0004466508.tif 000006
【図６】
0004466508.tif 000007
【図７】
0004466508.tif 000008
【図８】
0004466508.tif 000009
【図９】
0004466508.tif 000010
【図１０】
0004466508.tif 000011
【図１１】
0004466508.tif 000012